(57)【特許請求の範囲】
【請求項１】
平行に並ぶ多数の中空な金属製角形筒（１）,（１）・・と該各金属製角形筒（１）に対して直交する多数のチャンネル（２），（２）・・を挿通してなり、前記チャンネル（２），（２）・・を吊りボルト（３），（３）・・を用いて吊り下げるように構成された天井下地構造であって、前記各金属製角形筒（１）における前記チャンネル（２），（２）・・との交差部（Ａ），（Ａ）・・には、前記各金属製角形筒（１）に対して上方から嵌合される下方が開放された断面コ字状を呈し且つ前記チャンネル（２），（２）・・に対して上方から嵌合される下方が開放された嵌合溝（１７），（１７）がそれぞれ形成された固定金具（６），（６）・・を取り付けるとともに、該各固定金具（６）,（６）・・には、前記嵌合溝（１７），（１７）の下端部に架設され、前記チャンネル（２）,（２）・・の下端に当接される支持板（２６）を取り付けたことを特徴とする天井下地構造。
【請求項２】
前記各金属製角形筒（１）には、前記チャンネル（２）が挿通された嵌挿穴（１１）に連続する開口（１２）を形成し且つ該開口（１２）の片側口縁（１２ａ）には、該片側口縁（１２ａ）を折曲部として開閉自在とされ、前記チャンネル（２）に近接される固定片（１３）を一体に突設したことを特徴とする請求項１記載の天井下地構造。
【発明の詳細な説明】
【技術分野】
【０００１】
本願発明は、天井下地構造に関し、さらに詳しくは耐震性能を高めた天井下地構造に関するものである。
【背景技術】
【０００２】
従来型の天井下地構造としては、野縁と該野縁と直交する野縁受けとからなり、建物の構造体から吊りボルトで吊り下げて支持されているものがある(例えば、特許文献１参照) 。
【０００３】
また、間仕切り用の下地構造としては、角形鋼に対してチャンネルを直交状に挿通した構造のものが従来から知られている(例えば、特許文献２参照)。
【特許文献１】特開２００８−５０７８４号公報
【特許文献２】特許第３４６２０６３号公報
【発明の概要】
【発明が解決しようとする課題】
【０００４】
ところで、上記特許文献１に開示されている天井下地構造の場合、野縁と野縁受けとの直交部分は、接合金具を用いて同定する構造としたり、クリップ状部材を手で折り曲げて止めたりしている。しかしながら、このような固定構造とした場合、地震が起きた時、接合金具が外れたり、クリップ状部材の折り曲げている部分が開いて外れたりして、野縁が天井とともに落下してしまうおそれがある。
【０００５】
また、特許文献２に開示されている下地構造を、天井下地構造に適用した場合、野縁受け(チャンネル〉が角形鋼の中を通ってしっかり嵌めこまれといるところから、野縁受け(チャンネル)が脱落することはないが、チャンネルを角形鋼に挿通し易くするために、角形鋼の一部からなる扉状の板片を形成し、チャンネル挿通後に板片でチャンネルを挟む構造としている。すると、地震による横揺れによって、チャンネルが水平方向に移動し、扉状の板片の左右方向への規制だけでは不十分な場合があり、扉状の板片が変形してしまい、チャンネルが左右に動いてしまうという不具合が生じるおそれがある。
【０００６】
本願発明は、上記のような課題を解決するために行われたものであり、耐震性能に優れた天井下地構造を提供することを目的としてなされたものである。
【課題を解決するための手段】
【０００７】
本願発明では、上記課題を解決するための第１の手段として、平行に並ぶ多数の中空な金属製角形筒１，１・・と該各金属製角形筒１に形成した嵌挿穴１１, １１・・に対して直交する多数のチャンネル２, ２・・を挿通してなり、前記チャンネル２，２・・を吊りボルト３, ３・・を用いて吊り下げるように構成された天井下地構造において、前記各金属製角形筒１における前記チャンネル２，２・・との交差部Ａ，Ａ・・に、前記各金属製角形筒１に対して上方から嵌合される下方が開放された断面コ字状を呈し且つ前記各チャンネル２に対して上方から嵌合される下方が開放された嵌合溝１７，１７・・がそれぞれ形成された固定金具６，６・・を取り付けるとともに、該各固定金具６,6・・には、前記嵌合溝１７，１７の下端部に架設され、前記各チャンネル２,2・・の下端に当接される支持板２６を取り付けている。
【０００８】
上記のように構成したことにより、金属製角形筒１とチャンネル２，２・・との交差部Ａ，Ａ・・が強固に補強されることとなり、地震時においても、チャンネル２，２・・が左右方向(即ち、水平方向)に動かないように固定される。従って、激震に耐え得る耐震性能に優れた天井下地構造となり、また地震発生時におけるチャンネル２の縦揺れが支持板２６の存在により防止されることから、より一層耐震性能に優れた天井下地構造が得られる。
【０００９】
本願発明では、さらに、上記課題を解決するための第２の手段として、上記第１の手段を備えた天井下地構造において、前記金属製角形筒１に、前記チャンネル２が挿通された嵌挿穴１１に連続する開口１２を形成し且つ該開口１２の片側口縁１２ａに、該片側口縁１２ａを折曲部として開閉自在とされ、前記チャンネル２に近接される固定片１３を一体に突設することもでき、そのように構成した場合、固定片１３を押し開きながらチャンネル２を挿通させ、あるいは固定片１３を手指で押し開いた状態でチャンネル２を挿通させた後、固定片１３を閉じれば、金属製角形筒１へのチャンネル２の組付を容易且つ確実に行うことができる。
【発明の効果】
【００１０】
本願発明の第１の手段によれば、平行に並ぶ多数の中空な金属製角形筒１，１・・と該各金属製角形筒１に形成した嵌挿穴１１，１１・・に対して直交する多数のチャンネル２，２・・を挿通してなり、前記チャンネル２，２・・を吊りボルト３，３・・を用いて吊り下げるように構成された天井下地構造において、前記各金属製角形筒１における前記チャンネル２，２・・との交差部Ａ，Ａ・・に、前記各金属製角形筒１に対して上方から嵌合される下方が開放された断面コ字状を呈し且つ前記各チャンネル２に対して上方から嵌合される下方が開放された嵌合溝１７，１７がそれぞれ形成された固定金具６，６・・を取り付けて、金属製角形筒１とチャンネル２，２・・との交差部Ａ，Ａ・・が強固に補強されることとなり、地震時においても、チャンネル２，２・・が左右方向(即ち、水平方向)に動かないように固定されるようにしたので、激震に耐え得る耐震性能に優れた天井下地構造が得られ、また地震発生時におけるチャンネル２の縦揺れが支持板２６の存在により防止されることから、より一層耐震性能に優れた天井下地構造が得られるという効果がある。
【００１１】
本願発明の第２の手段におけるように、上記第１の手段を備えた天井下地構造において、前記金属製角形筒１に、前記チャンネル２が挿通された嵌挿穴１１に連続する閉口１２を形成し且つ該開口１２の片側口縁１２ａに、該片側口縁１２ａを折曲部として開閉自在とされ、前記チャンネル２に近接される固定片１３を一体に突設することもでき、そのように構成した場合、固定片１３を押し開きながらチャンネル２を挿通させ、あるいは固定片１３を手指で押し開いた状態でチャンネル２を挿通させた後、固定片１３を閉じれば、金属製角形筒１へのチャンネル２の組付を容易且つ確実に行うことができる。
【図面の簡単な説明】
【００１２】
【図１】本願発明の参考例にかかる天井下地構造を示す全体斜視図である。
【図２】図１に示す天井下地構造における要部(図１のＡ部分)を示す拡大斜視図である。
【図３】図１に示す天井下地構造における固定金具の拡大斜視図である。
【図４】図１に示す天井下地構造における要部(図１のＢ部分)を示す拡大斜視図である。
【図５】図１に示す天井下地構造における要部(図１のｃ部分)を示す拡大斜視図である。
【図６】図１に示す天井下地構造における要部(図１のＤ部分)を示す拡大斜視図である。
【図７】本願発明の第１の実施の形態にかかる天井下地構造における要部(図１のＡ部分に相当する部分)を示す拡大斜視図である。
【発明を実施するための形態】
【００１３】
以下、添付の図面を参照して、本願発明の第１の実施の形態の構成の前提となる参考例の構成および同参考例の構成を前提として構成される本願発明の第１の実施の形態の構成について説明する。
【００１４】
参考例
図１ないし図６には、後に述べる本願発明の第１の実施の形態の構成の前提となる参考例にかかる天井下地構造が示されている。
【００１５】
この天井下地構造は、図１に示すように、平行に並ぶ多数の中空な金属製角形筒１，１・・と該金属製角形筒１，１・・に形成した嵌挿穴１１，１１・・(図２参照)に対して直交する多数のチャンネル２，２・・を挿通してなり、前記チャンネル２，２・・を吊りボルト３，３・・を用いて吊り下げるように構成されている。符号４は前記金属製角形筒１，１・・の端部を支持する断面コ字状の支持部材、５は前記金属製角形筒１，１・・の途中部分を支持するＨ型鋼である。
【００１６】
そして、前記各金属製角形筒１は、図２に示すように、所定の幅に切断された金属板をその両端がコーナの一点において接するように四角筒状に折曲して構成された中空な金属板四角筒によって構成されている。前記金属板の一方の端部には、前記金属板角形筒１の内側に折曲され、さらにその先端部が外側に向かって折山されてなる逆Ｊ字状折曲部３１ が設けられ、前記金属板の他方の端部には、内側に逆Ｕ字状折曲部３２が設けられており、両者を連続して嵌合圧着せしめて水平方向に連続するコーナ型接続部３３として成形されている。そして、該コーナ型接続部３３における逆Ｕ宇状折曲部３２の基端から内側に向かってコの字状に突出するリブ３４が水平方向に連続して形成されている。このように構成したことにより、金属製角形筒１のいずれの四面を、後述する開口形成部およびボード貼付面として選択することが可能となる。また、コーナ型接続部３３の外れをリブ３４により防止できるとともに金属製角形筒１の剛性強化も図れる。
【００１７】
前記各金属製角形筒１には、図２に示すように、前記チャンネル２が挿通された嵌挿穴１１に連続する開口１２が形成されており、該開口１２の片側口縁(例えば、上部口縁)１２ａには、該上部口縁１２ａを折曲部として開閉自在とされ、前記チャンネル２に近接される固定片１３が一体に突設されている。符号１４は前記チャンネル２の嵌挿穴１１への挿通状態を維持するための舌片、１５は前記開口上部口縁１２ａに形成された折曲を容易にするための長穴、１６は前記開口上部口縁１２ａに形成された折曲を容易にするためのヌスミ部、１２ｂは前記開口１２に連続して形成された手指挿入用の余剰空間である。このように構成したことにより、固定片１３を押し開きながらチャンネル２を挿通させ、あるいは固定片１３を手指で押し開いた状態でチャンネル２を挿通させた後、固定片１３ を閉じれば、金属製角形筒１へのチャンネル２の組付が容易且つ確実に行うことができる.
ところで、前記金属製角形筒１，１・・における前記チャンネル２，２・・との各交差部Ａには、後述する固定金具６が取り付けられる。この固定金具６は、図２および図３に示すように、前記金属製角形筒１に対して上方から嵌合される下方が開放された断面コ字状を呈し且つ前記チャンネル２に対して上方から嵌合される下方が開放された嵌合溝１７，１７が形成された構成となっており、天面６ａを金属製角形筒１の上面１ａに対してビス１８を用いて取り付けるとともに、側面６ｂにおける前記嵌合溝１７の両側部分１７ａ，１７ａの下端部をビス１９，１９を用いて取り付けることによって、各交差部Ａにおいて金属製角形筒１とチャンネル２とを強同に結合することができるようになっている。
【００１８】
また、本参考例においては、図１に示すように、選ばれたチャンネル２を吊り下げている吊りボルト３，３・・のうち選ばれたものの下端部と、前記チャンネル２に隣合うチャンネル２，２を吊り下げている吊りボルト３，３の上端部との間には、断面コ字状の斜め補強材２０，２０が架設されている。該各斜め補強材２０の上端部には、図４に示すように、取り付け用ボルト２１が固着されており、該取り付け用ボルト２１の先端部には、前記吊りボルト３の上端部に対して係合する係合溝２２ａ，２２ａを有する取付金具２２が螺着されている。一方、前記斜め補強材２０，２０の下端部は、吊りボルト３に対して取付金具２３を介して取り付けられた断面コ字状の支持部材２４の両端部に対して斜め上向き姿勢で取り付けられている。このようにすると、地震発生時の横揺れによって、周囲の壁に天井下地材が衝突するおそれがなくなるが、斜め補強材２０，２０の下端部付近に地震による水平力が集中してかかるおそれがある。そこで、斜め補強材２０，２０の下端部が取り付けられている吊りボルト２３によって吊り下げられているチャンネル２と金属製角形筒１との交差部Ａにおいて、固定金具６を取り付けるのが望ましい。
【００１９】
さらに、前記吊りボルト２３の下端部は、図６に示すように、ハンガー２５を介してチャンネル３に支持されている。
【００２０】
上記のように構成された天井下地構造においては、金属製角形筒１，１・・とチャンネル２，２・・との交差部Ａ，Ａ・・が固定金具６，６・・によって強固に補強されることとなる。従って、地震時においても、チャンネル２，２・・が左右方向(即ち、水平方向)に動かないように固定されることとなり、激震に耐え得る耐震性能に優れた天井下地構造が得られる。しかも、前記各金属製角形筒１には、前記チャンネル２が挿通された嵌挿穴１１に連続する開口１２を形成し且つ該開口１２の片側口縁１２ａには、該片側口縁１２ａを折曲部として開閉自在とされ、前記チャンネル２に近接される固定片１３を一体に突設する構成としたことにより、固定片１３を押し開きながらチャンネル２を挿通させ、あるいは固定片１３を手指で押し開いた状態でチャンネル２を挿通させた後、固定片１３を閉じれば、金属製角形筒１へのチャンネル２の組付が容易且つ確実に行うことができる。
【００２１】
第１の実施の形態
図７には、上記参考例の構成を前提として構成される本願発明の第１の実施の形態にかかる天井下地構造の要部(上述した図１のＡ部に相当する部分)を拡大した斜視図が示されている。
【００２２】
この場合、先ず図７中の固定金具６は、上述の参考例にかかる天井下地構造における固定金具６に相当し、該固定金具６には、その嵌合溝１７の下端部に架設され、チャンネル２の下端に当接される金属製(例えば、鋼板製) の支持板２６が取り付けられている。この支持板２６の取付は、金属製角形筒１とチャンネル２との交差部Ａへの固定金具６の取付と同時にビス１９，１９の締め付けにより行われる。このように構成した場合、地震発生時におけるチャンネル２の縦揺れが支持板２６の存在により防止されることとなり、より一層耐震性能に優れた天井下地構造が得られる。
【００２３】
その他の構成および作用効果は、上述した参考例におけるものと同様なので、重複を避けて詳細な説明を省略する。
【００２４】
なお、本願発明は、上記参考例および第１の実施の形態において説明したものに限定されるものではなく、発明の要旨を逸脱しない範囲において適宜設計変更可能なことは勿論である。
【符号の説明】
【００２５】
１は金属製角形筒 
２はチャンネル 
３は吊りボルト 
６は固定金具 
１１は嵌挿穴 
１２は開口 
１２ａは片側口縁 
１３は固定片 
１７は嵌合溝 
２６は支持板 
Ａは交差部 
【図１】
0005713754.tif 000002
【図２】
0005713754.tif 000003
【図３】
0005713754.tif 000004
【図４】
0005713754.tif 000005
【図５】
0005713754.tif 000006
【図６】
0005713754.tif 000007
【図７】
0005713754.tif 000008